(57)【要約】【課題】熱が籠らないように通気が可能で、髪型を維持しやすい帽子における不都合を解消すること。【解決手段】頭部を覆うドーム状壁部１０１および開口縁部１０２を有するクラウン１と、複数の変形復元力を有する略蹄形のアーチ状部材３と、を備え、上記アーチ状部材３は、湾曲部分３０１が上記クラウンのドーム状壁部１０１に当接し、両端部３０２が上記クラウンの開口縁部１０２に当接するように取り付けられて、頭部ホールド手段を構成する。【選択図】図３
2016204762.tif 000002
【特許請求の範囲】
【請求項１】
頭部を覆うドーム状壁部および開口縁部を有するクラウンと、
複数の変形復元力を有する略蹄形のアーチ状部材と、を備え、
上記アーチ状部材は、湾曲部分が上記クラウンのドーム状壁部に当接し、両端部が上記クラウンの開口縁部に当接するように取り付けられて、頭部ホールド手段を構成していることを特徴とする、帽子。
【請求項２】
上記アーチ状部材のうち、
少なくとも一本は、一方の端部が上記クラウンの開口縁部における右耳よりも前方のこめかみ付近に位置し、湾曲部分の頂が上記クラウンのドーム状壁部における頂付近に位置し、もう一方の端部が上記クラウンの開口縁部における左耳の後方付近に位置するように配置され、かつ、
少なくともその他の一本は、一方の端部が上記クラウンの開口縁部における左耳よりも前方のこめかみ付近に位置し、湾曲部分の頂が上記クラウンのドーム状壁部における頂付近に位置し、もう一方の端部が上記クラウンの開口縁部における右耳の後方付近に位置するように配置されて取り付けられたものである、請求項１に記載の帽子。
【請求項３】
クラウンに、帯状の布地を、長手方向に向かってその両端縁部を縫ってパイプ状に取り付け、そこに上記アーチ状部材を挿入し、パイプ開口部を縫い閉じたものである、請求項１または２に記載の帽子。
【発明の詳細な説明】
【技術分野】
【０００１】
本発明は、熱が籠らないように通気が可能で、髪型を維持しやすい帽子に関する。
【背景技術】
【０００２】
従来にも、帽子の通気性、髪型の維持という課題を解決するため、いくつかの考案がなされている。（たとえば、特許文献１，２を参照）
【０００３】
特許文献１に記載された帽子においては、帽子の左右側面から後頭部にかけて取り付けたU字型のバンドで、側面から後頭部にかけて押さえる構成になっている。
このような構成にすれば、帽子の内径を頭部外形より少し大きくしても被ることができ、通気が確保できる。
【０００４】
しかしながら特許文献１に記載された帽子においては、頭部をホールドする安定性に難があり、特に前方から押された場合にU字型のバンドが脱落しやすく、それを回避するために挟み込みの強度を増すと装着感に問題が出るという課題があった。
【０００５】
特許文献２に記載された帽子においては、通気しやすいパッドをクラウン内部に装着して帽子の通気を確保している。
【０００６】
しかしながら特許文献２に記載された帽子においては、パッドが頭部を直接押さえるため、髪型の維持という点では効果がなかった。
【先行技術文献】
【特許文献】
【０００７】
【特許文献１】登実３０９９４９３号公報
【特許文献２】特開２００４−００３１１１号公報
【発明の概要】
【発明が解決しようとする課題】
【０００８】
本発明は、このような事情のもとで考え出されたものであって、熱が籠らないように通気が可能で、髪型を維持しやすい帽子において、上記した不都合を解消することを目的とする。
【課題を解決するための手段】
【０００９】
上記の課題を解決するため、本発明では、次の技術的手段を講じている。
【００１０】
本発明によって提供される帽子は、頭部を覆うドーム状壁部および開口縁部から成るクラウンと、複数の変形復元力を有する略蹄形のアーチ状部材と、を備え、上記アーチ状部材は、湾曲部分が上記クラウンのドーム状壁部に当接し、両端部が上記クラウンの開口縁部に当接するように取り付けられて、頭部ホールド手段を構成していることを特徴としている。
【００１１】
好ましい実施の形態においては、上記アーチ状部材のうち、少なくとも一本は、一方の端部が上記クラウンの開口縁部における右耳よりも前方のこめかみ付近に位置し、湾曲部分の頂が上記クラウンのドーム状壁部における頂付近に位置し、もう一方の端部が上記クラウンの開口縁部における左耳の後方付近に位置するように配置され、かつ、少なくともその他の一本は、一方の端部が上記クラウンの開口縁部における左耳よりも前方のこめかみ付近に位置し、湾曲部分の頂が上記クラウンのドーム状壁部における頂付近に位置し、もう一方の端部が上記クラウンの開口縁部における右耳の後方付近に位置するように配置されて取り付けられたものである。
【００１２】
好ましい実施の形態においては、クラウンに、帯状の布地を、長手方向に向かってその両端縁部を縫ってパイプ状に縫い付け、そこに上記アーチ状部材を挿入し、パイプ開口部を縫い閉じたものである。
【００１３】
本発明のその他の特徴および利点は、添付図面を参照して以下に行う詳細な説明によって、より明らかとなろう。
【図面の簡単な説明】
【００１４】
【図１】本発明に係る帽子の一例を示した平面図である。
【図２】図1に示す帽子の底面図である。
【図３】図１のＶ−Ｖ線に沿う断面図である。
【図４】図1に示す帽子を斜め上から透かして見た、頭部ホールド手段の説明図である。
【図５】本発明に係る帽子の、略蹄形のアーチ状部材を示した図である。
【図６】本発明に係る帽子の、略蹄形のアーチ状部材を帽子装着時の形状で示した図である。
【図７】本発明に係る帽子の他の例を示した使用状態図である。
【図８】本発明に係る帽子の他の例をさらに示した使用状態図である。
【発明を実施するための形態】
【００１５】
以下、本発明の好ましい実施の形態について、図面を参照して具体的に説明する。
【００１６】
図１〜図６は、本発明に係る帽子の一例を示している。
図１〜図４に表れているように、本実施形態の帽子Ａ１は、クラウン１と、二本のアーチ状部材３と、二本の帯状の布地１１と、クラウン１につながり、前方に延びるつば部２と、クラウン１の開口縁部を補強する、環状バンド体４と、を備えて構成されている。
【００１７】
クラウン１は、頭部を覆うドーム状壁部１０１と、ドーム状壁部１０１につながる開口縁部１０２から成っている。
【００１８】
アーチ状部材３は、変形復元力を有し、図５に表れているように、湾曲部分３０１と両端部３０２から成る略蹄形となっている。
【００１９】
アーチ状部材３のうち一本は、端部３０２の一方が、クラウン１の開口縁部１０２における右耳よりも前方のこめかみ付近６に位置し、湾曲部分３０１の頂がクラウン１のドーム状壁部１０１における頂付近７に位置し、端部３０２のもう一方がクラウン１の開口縁部１０２における左耳の後方付近８に位置するように配置されて取り付けられている。
【００２０】
アーチ状部材３のうちその他の一本は、端部３０２の一方が、クラウン１の開口縁部１０２における左耳よりも前方のこめかみ付近９に位置し、湾曲部分３０１の頂がクラウン１のドーム状壁部１０１における頂付近７に位置し、端部３０２のもう一方がクラウン１の開口縁部１０２における右耳の後方付近１０に位置するように配置されて取り付けられている。
【００２１】
図２、図３に表れているように、アーチ状部材３の取り付け方法は、まず、クラウン１に、帯状の布地１１を、長手方向に向かってその両端縁部１２，１３を縫ってパイプ状に取り付け、そこにアーチ状部材３を挿入し、パイプ開口部を縫い閉じている。
【００２２】
二本の帯状の布地１１の取り付け位置は、一本は、クラウン１の開口縁部１０２における右耳よりも前方のこめかみ付近６から、クラウン１のドーム状壁部１０１における頂付近７を経由して、クラウン１の開口縁部１０２における左耳の後方付近８に、他の一本は、クラウン１の開口縁部１０２における左耳よりも前方のこめかみ付近９から、クラウン１のドーム状壁部１０１における頂付近７を経由して、クラウン１の開口縁部１０２における右耳の後方付近１０になっている。
【００２３】
この帯状の布地１１で構成されたパイプに、一本ずつ挿入されたアーチ状部材３は、図４に表れているように、互いの湾曲部分３０１の頂付近で交差して配置される。
【００２４】
図５に表れているように、アーチ状部材３は略蹄形であり、かつ、変形復元力を有しており、帽子が頭に装着された際には、図６のように、頭の形に沿って略Ｕ字形に広がる。
帽子の開口縁部１０２はアーチ状部材３の形状に沿って絞った形に変形するが、帽子を頭に装着すると、アーチ状部材３とともに頭の形に沿って広がり、アーチ状部材３の変形復元力によって、頭部をホールドすることができる。 
【００２５】
図２、図３に表れているように、アーチ状部材３の両端部３０２は、縫い閉じられたパイプに収まっており、環状バンド体４がその上を覆っている。
【００２６】
アーチ状部材３は、弾性のあるプラスチック、例えばポリプロピレンを用いたインジェクション成形で製造することができる。
【００２７】
次に、帽子Ａ１の作用について説明する。
【００２８】
一般的な帽子においては、クラウン１の開口縁部１０２の内側に取り付けられた環状バンド体４が、頭部外周に密着して頭部をホールドする役目を果たしている。
【００２９】
本実施形態の帽子Ａ１においては、クラウン１に取り付けられたアーチ状部材３の変形復元力を利用して頭部をホールドする構成になっているため、環状バンド体４を頭部外周に密着させる必要性がない。
【００３０】
一般的な帽子においては、クラウン１の開口縁部の周長、もしくは、環状バンド体の周長は、頭部外周寸法に対して５ミリから１センチ程度長めにすることが適正とされている。
【００３１】
本実施形態の帽子Ａ１においては、クラウン１の開口縁部の周長、もしくは、環状バンド体の周長は、頭部外周寸法よりも約４センチ以上、好ましくは、約６〜１０センチ長く構成されており、クラウン１の開口縁部、もしくは、環状バンド体４の内壁５は、前頭部、側頭部、後頭部いずれかに、数センチ程度の空間を保って当接せず、十分な通気性が確保され、熱が籠らない。
【００３２】
従来一般的な帽子においては、クラウン1に使用する素材に、紫外線対策の機能性を持った生地を採用しても、通気性を確保するために、メッシュ構造や通気孔を設ける必要があり、紫外線対策機能を十分に発揮できない、という不都合があった。
【００３３】
しかしながら、本実施形態の帽子Ａ１においては、クラウン１の生地自体にメッシュ構造や通気孔を設けなくても、クラウン１の開口縁部、もしくは、環状バンド体４の内壁５が、前頭部、側頭部、後頭部いずれかに、数センチ程度の空間を保って当接しないので、十分な通気性を確保でき、紫外線対策と両立することが可能である。
【００３４】
また、本実施形態の帽子Ａ１においては、アーチ状部材３の端部３０２付近以外は、直接頭部を押圧することがないため、圧迫感が少なく、快適に着用できるだけでなく、髪型を維持しやすい。
【００３５】
特に、クラウン１前方の内壁１４と、頭部額付近の間に空間ができることよって、前髪が押しつぶされたり、ファンデーションが擦れ落ちる心配がなくなる。これは、クラウン１前方の壁を、つば部２の先端方向へ延伸させたデザインにすることによって、さらに効果を顕著にすることができる。
【００３６】
クラウン１には、帯状の布地１１が、長手方向に向かってその両端縁部１２，１３を縫ってパイプ状に取り付けられ、そこにアーチ状部材３が挿入された後に、パイプ開口部が縫い閉じられている。
【００３７】
従って、帽子をミシンで縫製するほとんどの工程においては、アーチ状部材３をあらかじめ挿入しておく必要がなく、挿入後に行うべき縫製箇所はパイプ開口部の縫い閉じだけである。このように一般的な帽子と同じように生産性が良いため、安価につくることが可能である。
【００３８】
図７、図８は、本発明に係る帽子の他の例を示している。
なお、図７以降の図面において、上記実施形態と同一または類似の要素には、適宜図示と説明を省略する。
【００３９】
図７に示された本実施形態の帽子Ａ２は、クラウン１を構成する生地のピース１５，１６の下端縁部が特に長く構成されていて、そのためクラウン１の開口縁部、もしくは、環状バンド体４の内壁５は、特に側頭部、後頭部との間に大きな空間を保つことができる。
【００４０】
帽子Ａ２は、クラウン１の開口縁部の周長、もしくは、環状バンド体の周長が、頭部外周寸法よりも約１０センチ以上、好ましくは、約１５センチ程度長く、クラウン１の開口縁部、もしくは、環状バンド体４の内壁５と、前頭部、側頭部、後頭部いずれかとの間の空間は非常に大きく、十分な通気性が確保され、熱が籠らない。
【００４１】
図８に示された本実施形態帽子Ａ３は、つば部２がクラウン１の下端縁部全周に縫い留められたフランジ状に構成されている。
【００４２】
このようにいわゆるハット型に構成した場合も、本実施形態Ａ１、Ａ２と同様、熱が籠らないように通気が可能で、かつ、髪型を維持しやすい帽子となる。
【００４３】
以上、本発明の具体的な実施形態を説明したが、本発明はこれに限定されるものではなく、発明の発想から逸脱しない範囲内で種々な変更が可能である。本発明に係る帽子の具体的な形状や材質なども、上記実施形態に限定されるものではない。
【００４４】
上記実施形態においては、アーチ状部材３は、弾性のあるプラスチック、例えばポリプロピレンを用いたインジェクション成形で製造することができるとしたが、この他にも、ポリエチレン、ＰＯＭ、ポリカーボネート、ポリアミド等を用いたインジェクション成形、あるいは、アセテート樹脂やポリアミド等のプラスチック板材やステンレス等の金属バネ材の曲げ可能によって製造することもできる。
【００４５】
上記実施形態においては、アーチ状部材３の取り付け方法は、まず、クラウン１に、帯状の布地１１を、長手方向に向かってその両端縁部１２，１３を縫ってパイプ状に取り付け、そこにアーチ状部材３を挿入し、パイプ開口部を縫い閉じているが、アーチ状部材３とクラウン１の接合部に面ファスナ等を用いて着脱可能にしてもよい。
【００４６】
上記実施形態においては、アーチ状部材３はクラウン１の内壁に取り付けられているが、クラウン１の外壁すなわち帽子の上面に載せるように取り付けてもよい。
【００４７】
上記実施形態においては、アーチ状部材３は二本で構成されているが、複数本であればよい。
【００４８】
上記実施形態においては、環状バンド体４は、単独で環につながった構成になっているが、一部に面ファスナ等の接合パーツを用いた長さ調整部を設けてもよい。また、環状バンド体４を具備しない構成にしてもよい。
【００４９】
上記実施形態においては、つば部２を具備する構成にしたが、つば部を具備しない構成にしても良い。
【符号の説明】
【００５０】
１    クラウン
１０１  ドーム状壁部
１０２  開口縁部
２    つば部
３    アーチ状部材
３０１  湾曲部分
３０２  端部
４    環状バンド体
１１    帯状の生地
【図１】
2016204762.tif 000003
【図２】
2016204762.tif 000004
【図３】
2016204762.tif 000005
【図４】
2016204762.tif 000006
【図５】
2016204762.tif 000007
【図６】
2016204762.tif 000008
【図７】
2016204762.tif 000009
【図８】
2016204762.tif 000010